(57)【要約】【課題】室等において床上に配置された設備若しくは家具などを容易に片づけ室を広く使用できるようにすることである。【解決手段】上階床５の一部の上方に約１．１〜１．６ｍ離間して子供部屋２８の床であるスキップ床８Ａを設け、床５とスキップ床８Ａとの間に仕切り壁６１、内壁６３、外壁４１，４２を設け、壁と、床と、スキップ床とで囲まれた空間が収納室（例えば第１収納室２５とする。この収納室２８を形成する仕切り壁６１に収納室２５の出入口６６を設け、床５上には、該床５上を移動させることで出入口６６から収納室２５に収納可能な流し台７を設置する。流し台７には収納室２５に収納された際に、出入口６６を閉塞する面材７３を取り付ける。【選択図】　　　　図２
2004100373.tif 000002
【特許請求の範囲】
【請求項１】
床の一部の上方に約１．１〜１．６ｍ離間して居室の床であるスキップ床が設けられ、前記床とスキップ床との間に壁が設けられ、前記壁と、前記床と、前記スキップ床とで囲まれた空間が収納室とされ、
前記壁には前記収納室の出入口が設けられ、
前記床上には、該床上を移動させることで前記出入口から前記収納室に収納可能な設備若しくは家具が設置され、
前記設備若しくは家具には前記収納室に収納された際に、前記出入口を閉塞する閉塞部材が取り付けられていることを特徴とする建物。
【請求項２】
前記設備若しくは家具は、流し台であることを特徴とする請求項１記載の建物。
【請求項３】
前記閉塞部材の上端部は、流し台の上面よりも高いことを特徴とする請求項２記載の建物。
【請求項４】
前記流し台下の床部分には、流し台の配管が着脱可能に接続された床側配管若しくは、前記床側配管及びコンセントが設けられていることを特徴とする請求項２または３記載の建物。
【請求項５】
前記配管は、前記床側配管に着脱可能に接続された可撓性を有する筒状のフレキシブル管を備えることを特徴とする請求項４記載の建物。
【請求項６】
前記流し台の真下にはパイプスペースが配置され、このパイプスペース内に前記床側配管若しくは、前記床側配管及びコンセントが設けられていることを特徴とする請求項４または５記載の建物。
【請求項７】
前記床側配管は排水管を備え、この排水管にはトラップが設けられていることを特徴とする請求項４〜６のいずれか一項に記載の建物。
【請求項８】
前記設備若しくは家具は、ベッド若しくはテーブルであることを特徴とする請求項１記載の建物。
【請求項９】
前記設備若しくは家具は、前記床から前記スキップ床に至る階段であることを特徴とする請求項１記載の建物。
【請求項１０】
前記階段は内部に収納部が形成され、前記階段に取り付けられた前記閉塞部材は開閉することで前記収納部に連通可能な扉を有することを特徴とする請求項９記載の建物。
【発明の詳細な説明】
【０００１】
【発明の属する技術分野】
本発明は、建物に係り、詳細には、流し台、洗面台などの設備若しくはテーブル、箪笥、椅子、ベッドなどの家具を備えた建物に関する。
【０００２】
【背景の技術】
従来、住宅などの建物では、例えば、台所には流し台、寝室にはベッド、食堂にはテーブル、椅子などのように、各室には、各室で使用する設備若しくは家具が配置されているのが一般的である（例えば、特許文献１参照。）。
【０００３】
【特許文献１】
特開２００２−１７４７７号公報（第３図）。
【０００４】
【発明が解決しようとする課題】
ところで、上記特許文献１等の住宅において、設備若しくは家具を備えた室を広く使用したい場合がある。
このとき、流し台を備えた台所や、ベッドを備えた寝室、階段が配置された部屋などを、配置された流し台、ベッド、階段などといった大型の設備や家具等をどかして広く使用したい場合、その移動作業が困難であり手間がかかる。
本発明の課題は、室の備える設備若しくは家具などを容易に片づけ室を広く使用できるようにすることである。
【０００５】
【課題を解決するための手段】
以上の課題を解決するため、請求項１記載の発明は、例えば、図２または図３に示すように、
床（例えば上階床５）の一部の上方に約１．１〜１．６ｍ離間して居室（例えば子供部屋２８）の床８Ａであるスキップ床８Ａが設けられ、前記床５とスキップ床８Ａとの間に壁（仕切り壁６１、内壁６３、外壁４１，４２）が設けられ、前記壁と、前記床と、前記スキップ床とで囲まれた空間が収納室（例えば第１収納室２５）とされ、
この収納室を形成する前記壁（例えば仕切り壁６１）に前記収納室２５の出入口６６が設けられ、
前記床５上には、該床５上を移動させることで前記出入口６６から前記収納室２５に収納可能な設備若しくは家具（例えば流し台７）が設置され、
前記設備若しくは家具（例えば流し台７）には前記収納室２５に収納された際に、前記出入口６６を閉塞する閉塞部材（例えば面材７３）が取り付けられていることを特徴とする。
【０００６】
ここで、床の一部の上方に約１．１〜１．６ｍ離間させて居室（例えば子供部屋２８）の床８Ａであるスキップ床８Ａが設けられ、前記床５とスキップ床８Ａとの間に壁を設けて形成される前記収納室２５は、床とスキップ床との間を約１．１ｍ以上とすることで、収納室の天井高を平均的な身長の大人が例えば腰や頭を少し低くした状態で、あるいは椅子なに座った状態などで自由に移動できる高さとして確保され、且つ１．６ｍ以下とすることで収納容量を大きくして物品の搬入や搬出に十分な高さにしながら収納空間の上方の空間、つまり上記居室を圧迫せずに、建物全体の高さを抑えるものとなっている。
【０００７】
また、前記設備若しくは家具は、建物内に設置され、設置された箇所、例えば室などにおいて使用されるものである。前記設備として、例えば、台所に設置される流し台、流し台を有する厨房台、洗面台、浴槽等が挙げられる。また、前記家具として、例えば、居室（寝室等も含む）、居間、食堂などに配置されるテーブル、椅子、ベッドなどが挙げられる。
前記閉塞部材は、例えば面材からなり、前記出入口を閉塞した際に出入口に内嵌して前記収納室外側の壁面と略面一となるように構成されていることが好ましい。
【０００８】
請求項１記載の発明によれば、前記収納室２５に、前記床５上の前記設備若しくは家具（例えば流し台７）を前記床５上を移動させて出入口６６から収納し、閉塞部材７３により出入口を閉塞できるので、前記設備若しくは家具（例えば流し台７）を前記収納室に収納することで容易に片づけて、前記設備若しくは家具（例えば流し台７）が配置されてていた床部分を広く使用できるとともに、前記出入口６６も塞がれ見映えもよい。
【０００９】
請求項２記載の発明は、請求項１記載の建物において、例えば図２または３に示すように、
前記設備若しくは家具（例えば流し台７）は、流し台７であることを特徴とする。
【００１０】
請求項２記載の発明によれば、前記床５上の前記設備若しくは家具としての流し台７を、前記床５上を移動させて出入口６６から前記収納室２５に収納し、閉塞部材７３により出入口６６を閉塞できるので、前記流し台７を片づけて、該流し台が配置されていた床部分を広く使用できるとともに、前記出入口６６も塞がれ見映えもよい。
【００１１】
請求項３記載の発明は、請求項２記載の建物において、例えば図３及び図５に示すように、
前記閉塞部材（例えば面材７３）の上端部７３ａは、流し台７の上面７１ａよりも高いことを特徴とする。
【００１２】
請求項３記載の発明によれば、前記閉塞部材７３の上端部７３ａは前記流し台７の上面７１ａより高いので、前記流し台７の上面７１ａに、流し台７の付属品、例えば、蛇口部７５等が取り付けられていても、取り付けられた付属品７５の上端が前記閉塞部材７３の上端部７３ａより低いものであれば、付属品７５を取り外すことなく、流し台７を前記収納室２５内に、前記出入口６６を介して容易に収納させることができる。
【００１３】
請求項４記載の発明は、請求項２または３記載の建物において、例えば図５〜図８に示すように、
前記流し台７下の床部分には、流し台７の配管（例えば排水管７６，配水管７８）が着脱可能に接続された床側配管５１，５２若しくは、前記床側配管５１，５２及びコンセント５４が設けられていることを特徴とする。
【００１４】
請求項４記載の発明によれば、前記流し台７下の床部分には、流し台の配管７６，７８が着脱可能に接続された床側配管５１，５２若しくは、前記床側配管５１，５２及びコンセント５４が設けられているので、前記流し台７の配管７６，７８を、前記床部分の床側配管５１，５２から取り外したり、また前記流し台７に電化製品が付属している場合に、前記コンセント５４から流し台７の備える電化製品のプラグを外すだけで前記床５上に設置された前記流し台７を前記収納室（例えば第１収納室２５）側に移動可能にすることができ、これらの作業の後で、前記流し台７を前記床上を移動させて前記出入口６６を介して前記収納室２５内に容易に収納することができる。
【００１５】
請求項５記載の発明は、請求項４記載の建物において、例えば図７及び図８に示すように、
前記配管７６，７８は、前記床側配管５１，５２に着脱可能に接続された可撓性を有する筒状のフレキシブル管７６ａ，７８ａを備えることを特徴とする。
【００１６】
請求項５記載の発明によれば、前記配管７６，７８は、前記床側配管５１，５２に着脱可能に接続された可撓性を有する筒状のフレキシブル管７６ａ，７８ａを備えるので、前記流し台７を前記収納室２５内に収納する際に、前記配管７６，７８と前記床側配管５１，５２とを容易に分離させることができるとともに、床側配管５１，５２の端部を前記配管７６，７８に接続させるために床面から上方に突出させる必要がなく前記配管７６，７８を分離した後で、前記床側配管５１，５２を床面レベルと略同一かあるいは床面レベルより下方に位置するように設けることができる。これにより、前記流し台７を収納室内に収納した際に、前記流し台が設置されていた床部分に、該床部分の床面から上方に突出する突出物が存在することなく、蓋などで前記床側配管部分を容易に塞ぐことができる。
また、前記流し台７を収納室２５の外の所定の床上に設置する際に、正確な位置に流し台を設置しなくても、フレキシブル管７６ａ，７８ａを床側配管５１，５２に接続できるので、その接続作業を容易に行うことができる。
【００１７】
請求項６記載の発明は、請求項４または５記載の建物において、例えば図１、図２、図６〜図８に示すように、
前記流し台７の真下にはパイプスペース１３が配置され、このパイプスペース１３内に前記床側配管５１，５２若しくは、前記床側配管５１，５２及びコンセント５４が設けられていることを特徴とする。
【００１８】
請求項６記載の発明によれば、前記流し台７の真下にはパイプスペース１３が配置され、このパイプスペース１３内に前記床側配管５１，５２若しくは、前記床側配管５１，５２及びコンセント５４が設けられているので、このパイプスペース１３を利用して流し台７に接続される床側配管５１，５２若しくは、前記床側配管５１，５２及びコンセント５４を設けることができ、これら床側配管５１，５２若しくは、前記床側配管５１，５２及びコンセント５４を設けるために前記床５に加工を施す必要がない。
【００１９】
請求項７記載の発明は、請求項４〜６のいずれか一項に記載の建物において、例えば図６及び図７に示すように、
前記床側配管５１は排水管５１を備え、この排水管５１にはトラップ５１ａが設けられていることを特徴とする。
【００２０】
請求項７記載の発明によれば、前記床側配管５１は排水管５１を備え、この排水管５１にはトラップ５１ａが設けられているので、前記収納室２５内に収納自在な流し台７であっても、前記床５上に設置された状態において、排水管５１から立ち上る悪臭を防止することができる。
【００２１】
請求項８記載の発明は、請求項１記載の建物において、例えば図１３及び図１４に示すように、
前記設備若しくは家具は、ベッド３１若しくはテーブル３０であることを特徴とする。
【００２２】
請求項８記載の発明によれば、前記床５上の前記設備若しくは家具としてのベッド３１若しくはテーブル３０を、前記床５上を移動させて出入口６６から前記収納室２５に収納し、閉塞部材（例えば、図１４でヘッドボード３１ｂ，図１３で側板３３Ａ）により出入口６６を閉塞できるので、前記床上の前記ベッド３１若しくはテーブル３０を前記収納室に収納することで容易に片づけて、前記ベッド３１若しくはテーブル３０が配置されてていた床部分を広く使用できるとともに、前記出入口６６も塞がれ見映えもよい。
【００２３】
請求項９記載の発明は、請求項１記載の建物において、例えば図２、図４、図９及び図１０に示すように、
前記設備若しくは家具は、前記床５から前記スキップ床８Ｂに至る階段９であることを特徴とする。
【００２４】
前記階段９は、前記床からスキップ床８Ｂに至ることにより、前記床から前記スキップ床上、つまり、居室に昇降可能となるものである。このスキップ床が床を構成する居室は壁で囲まれたものであってもよいし、前記階段９が接続される側が開放されたものであってもよい。居室が壁で囲まれた構成であれば、壁に開口部を設け、この開口部の下縁をスキップ床で形成し、このスキップ床の開口下縁部位に前記階段が接続される構成とすることが好ましい。なお、壁に前記開口部を設ける場合、この開口部を前記収納室の出入口の上方の壁部分に形成して、前記階段を前記出入口を塞ぐように配置する構成とすれば、配置された階段により前記床から前記スキップ床上への往き来を行うことができるとともに、前記出入口を閉塞することができる。
また、前記居室が、前記階段が接続される側が開放された構成、例えば居室をロフトのような構成とする場合には、開放された側のスキップ床端部において、階段の接続部分以外の部分に鉛直方向に立設する手摺を前記スキップ床端部に沿って取り付ける構成などとする。
【００２５】
請求項９記載の発明によれば、前記床５上の前記設備若しくは家具としての、前記床５から前記スキップ床８Ｂに至る階段９を、前記床５上を移動させて出入口６８から前記収納室（例えば第２収納室２６）に収納し、閉塞部材（例えば背面材９３）により出入口６８を閉塞できるので、前記階段を前記収収納室に容易に収納して、前記階段９が配置されてていた床部分を広く使用できるとともに、前記出入口６８も塞がれ見映えもよい。
【００２６】
請求項１０記載の発明は、請求項９記載の建物において、例えば図４、図９及び図１０に示すように、
前記階段９は内部に収納部が形成され、前記階段９に取り付けられた閉塞部材（例えば背面材９３）は開閉することで前記収納部に連通可能な扉９３ａを有することを特徴とする。
【００２７】
請求項１０記載の発明によれば、前記階段９は、開閉することで内部の収納部に連通可能な扉９３ａを有する閉塞部材（背面材９３）を備えるので、前記階段９を前記収納室２６に収納して前記出入口６８を前記閉塞部材９３で閉塞した際に、前記収納室２６の外側から前記扉９３ａを介して前記収納部内への物品の出し入れを行うことができる。
【００２８】
【発明の実施の形態】
以下、図を参照して本発明の実施の形態を詳細に説明する。
まず、構成を説明する。
図１〜図４に示す住宅（建物）１は、基礎２の上に建物本体３が固定され、この建物本体３の上方が屋根で覆われた２階建ての住宅である。
建物本体３は、木質パネル工法やユニット工法等のプレファブ工法、木造軸組工法、鉄骨軸組工法等、設計条件に応じて適宜選択された構造及び工法により構築される。そして、建物本体３には、外壁４によって外部と区画された内部空間を上階床５で上下に仕切った各階が形成され、さらに各階を内壁や間仕切り壁などで仕切ることで生活空間としての居室、廊下、ホール等が形成されている。
【００２９】
図１に示す住宅１の下階部分には、建物本体３の正面側の外壁中央部に玄関１１が設けられ、この玄関１１の玄関土間１１ａの左側に隣接して、和室１２が配置されており、この和室１２には玄関土間１１ａと隣接する押入１２ａが設けられている。また押入１２ａの奧側に隣接して平断面矩形状のパイプスペース１３が設けられている。
【００３０】
また、和室１２の奧側に隣接して平面視Ｌ字状の寝室１４が設けられ、寝室１４の右側にはクローゼット１５と物入れ１６が奧側から隣接して設けられ、物入れ１６の右側には便所１７が設けられている。
また、便所１７の正面側には、左右に長く上方に延在する階段室１８が配置され、この階段室１８は左に向かって下階から上階に昇降可能な下階段１８ａと、下階段１８ａの上り口に接続されたＬ字状の廊下部１８ｂとを有し、廊下部１８ｂは、玄関土間１１ａの奧側で隣接する玄関ホール１１ｂに接続されている。なお、この階段室１８は、下階段１８ａの上方に上階部分から子供部屋２８への往き来を可能とする上階段１８ｃを備える。
この階段室１８の廊下部１８ｂの正面側には、洗面所１９が隣接して配置され、洗面所１９の正面側に浴室２０が配置されている。
【００３１】
図２に示す住宅の上階部分には、階段室１８の下階段１８ａの降り口と連続して、食堂２１が配置され、この食堂２１の正面側には台所２２が配置され、食堂２１の奧側には居間２３が配置されている。
食堂２１、台所２２及び居間２３は、住宅１の前後方向に延在する連通して設けられた一つの空間２００内に配置された状態となっており、食堂２１と台所２２とは台所２２部分に配置された流し台７により仕切られた状態となっている。なお、台所２２、食堂２１及び居間２３は、下階の押入１２ａを含む和室１２、パイプスペース１３及び下階の寝室１４等の真上に配置され、食堂２１及び居間２３の左側の外壁には、これら食堂２１及び居間２３から出入り可能なバルコニー２４が設けられている。
【００３２】
この住宅の左側部分で前後方向に延在する一つの空間２００の右側には、空間２００に隣接して、階段室１８の前後に配置された第１及び第２収納室２５，２６と、これら第１収納室２５及び第２収納室２６上に配置された子供部屋２８，２９とが設けられている（図３及び図４参照）。
第１収納室２５及び第１収納室２５上の子供部屋２８は、台所２２の右側に隣接して設けられ、第２収納室２６及び第２収納室上の子供部屋２９は居間２３の右側に隣接して設けられている。
【００３３】
図３及び図４に示すように、子供部屋２８，２９には右側の外壁の内面に沿ってそれぞれ押し入れ２８ａ，２９ａが設けられている。さらに、図３に示すように、子供部屋２８では、その左側の内壁（仕切り壁６１）の上部で、台所２２上の屋根裏に配置された収納部２８ｂが連通している。
また、子供部屋２９には、空間２００とを仕切る仕切り壁部分に、子供部屋２９内と空間２００の居間２３とを連通する開口部２９ｂが形成され、この開口部２９ｂは、第２収納部２６の出入口６２ａの真上に形成され、居間２３に配置された階段９を介して子供部屋２９内に往き来可能となっている。
【００３４】
食堂２１，台所２２、居間２３、第１収納室２５及び第２収納室２６の床は上階床５によりなり、床面がそれぞれ略面一のものとなっている。
第１収納室２５及び第２収納室２６は、上階床５の一部、つまり、階段室１８に前後で隣接する上階床５部分の上方に約１．１〜１．６ｍ離間させて、屋根裏に設けられた子供部屋（居室）２８，２９の床となるスキップ床８Ａ，８Ｂを設けるとともに、上階床５とスキップ床８との間を壁（仕切り壁６１，６２、階段室１８を前後で仕切る内壁６３，６４、外壁４のうちの正面側の外壁４１、右側の外壁４２及び背面側の外壁４３）を設けることで形成されている。
すなわち、スキップ床８Ａ，８Ｂは、上階床５と同等の床荷重を支持できる程度の強度を有し、仕切り壁６１，６２、仕切る内壁６３，６４、外壁４１〜４３によって支持されている。
【００３５】
ここで、スキップ床８Ａ，８Ｂと上階床５の間を約１．１ｍ以上とすることで、第１及び第２収納室２５，２６の天井高を大人が屈んで出入りできる高さとして確保し、且つ１．６ｍ以下とすることで収納容量を大きくしながら収納空間の上方の空間、つまり子供部屋２８．２９を圧迫せずに、建物全体の高さを抑えることができるようにしている。
例えば、スキップ床８Ａ，８Ｂの厚みを約１００〜２００ｍｍとして、上階床５の上方に約１．１〜１．６ｍ離間させて設ければ、スキップ床８Ａ，８Ｂ下に形成される第１及び第２収納室２５，２６の天井高が約１０００ｍｍ〜１４００ｍｍとなり、内部で大人が屈んで作業を行えるものとなる。
【００３６】
第１収納室２５は、当該第１収納室２５と台所２２とを仕切る仕切り壁６１に形成された出入口６６から出入り自在となっている。
この出入口６６は、床上を移動させることで出入口６６から第１収納室２５に収納可能な流し台７と、流し台７に隣接して配置された引戸６１ａとにより閉塞されるものとなっている。
流し台７は、図２、図３及び図５に示すように略直方体状に形成された本体部７１と、本体部７１の両側部に面材７２，７３が取り付けられている。
【００３７】
本体部７１は、面材７２．７３と同一か若しくは面材７２，７３の左右の両側辺より内側に取り付けられるような横幅を有する直方体状に形成され、上面７１ａには、シンク７１ｂ、電気コンロ７１ｃ等が設けられ、シンク７１ｂには上方に突出するように蛇口部７５が設けられている。
本体部７１は、図６に示すように、上面７１ａに設けられたシンク７１ｂ（図５参照）、電気コンロ７１ｃ（図５参照）、蛇口部７５（図５参照）にそれぞれ接続された排水管７６、プラグ７７、配水管７８を有し、これら排水管７６、プラグ７７及び配水管７８は、台所２２の床部に設けられた配管部の下部排水管５１及び床側配水管５２、コンセント５４にそれぞれ接続されている。
【００３８】
本体部７１の備える排水管７６、配水管７８は、それぞれフレキシブル管７６ａ，７８ａ，７８ｂを備え、これらフレキシブル管７６ａ，７８ａを介して下部排水管５１及び床側配水管５２に接続されている。
フレキシブル管７６ａ，７８ａは可撓性を有する筒状のものであり、伸縮したり曲がったりするように形成され、下部排水管５１及び床側配水管５２に着脱可能となっている。
【００３９】
また、面材７２，７３の上端部７２ａ，７３ａは、本体部７１の上面７１ａより高い位置となっており、蛇口部７５の上端の高さよりも高くなっている。
面材７２は、出入口６６の高さよりも高さが低く、出入口６６に内嵌された状態で、引戸６１ａととともに出入口６６を閉塞している。
さらに、他側部に設けられた他方の面材７３は、第１収納室２５に収納された際に、引戸６１ａとともに前記出入口６６を閉塞するものである。
【００４０】
下部排水管５１、床側配水管５２及びコンセント５４は、上階床５の台所２２の床を構成する部位に形成された切欠部５０内に配設されている。
この切欠部５０は平面視矩形の箱状に形成されており、流し台７の真下に配置され、該流し台７により外部から見えないようになっている（図５参照）。
また、切欠部５０は上階床５において下階のパイプスペース１３の真上部分に配置されており、下部排水管５１、床側配水管５２及びコンセント５４に接続された配線５４ａはパイプスペース１３内に配設され、パイプスペース１３内を通して建物本体下に延在し、外部から電力、配水を得たり、外部に排水を排出できる。
また、下部排水管５１は、上階床５の下に配置されたトラップ５１ｂを備えており、これにより異臭がシンク７１ｂから外部に漏れないようになっている。
【００４１】
このように構成された流し台７は、本体部７１のフレキシブル管７６ａを下部排水管５１から、フレキシブル管７８ａを床側配水管５２から、プラグ７７をコンセント５４からぞれぞれ外した後で、上階床５上を移動可能となる。
よって、流し台７を第１収納室２５側に移動（図７参照）して、該第１収納室２５内に収納することで、台所２２における流し台７を容易に片づけることがでる（図２及び図３に符号７’で示す）。
また、流し台７を収納室２５の外の所定の床上に設置する際に、正確な位置に流し台を設置しなくても、フレキシブル管７６ａ，７８ａを床側配管５１，５２に接続できるので、その接続作業を容易に行うことができる。
【００４２】
流し台７を第１収納室２５に収納した際には、本体部７１の他側部に取り付けられた他方の面材７３が出入口６６を閉塞し、且つ面材７３の表面が仕切り壁６１の台所２２側の面と略面一となる。
また、排水管７６、配水管７８は、床側排水管５１，床側配水管５２に着脱可能に接続された可撓性を有する筒状のフレキシブル管７６ａ，７８ａを備えるので、流し台７を収納室２５内に収納する際に、排水管７６、配水管７８と床側排水管５１、床側配水管５２とを容易に分離させることができるとともに、床側排水管５１、床側配水管５２の端部を排水管７６、配水管７８に接続させるために床面から上方に突出させる必要がなく排水管７６、配水管７８を分離した後で、床側排水管５１，床側配水管５２を床面レベルと略同一かあるいは床面レベルより下方に位置するように設けられている。
これにより、流し台７が移動された後の台所２２の床部分に現れた切欠部５０には、床側排水管５１、床側配水管５２が上方に突出することがなく、図８に示すように、切欠部５０の開口断面と略同形状の面状の蓋材５７を取り付けて塞ぎ、他の床部分と略面一の状態にすることで流し台７が配置されていた台所２２の床領域部分をフラットにする。これにより台所２２のフラットな床領域が広くなる。なお、この切欠部５０の内周面の上部には、嵌め込まれた蓋材５７の縁部下面を係止して、該蓋材５７の上面が上階床５の床面と略面一にする係止部５０ａが設けられている。
【００４３】
また、引戸６１ａは、仕切り壁６１の裏面側、つまり第１収納室２５側の壁面に沿って移動自在に設けられている。この引戸６１ａを介して、流し台７が台所２２の床上に配置されている場合でも、台所２２から第１収納室２５内への出入りが可能となり、台所２２から第１収納室２５への物品の出し入れが可能となっている。
【００４４】
第２収納室２６は、図２に示すように、第２収納室２６と居間２３とを仕切る仕切り壁６２に形成された出入口６８から出入り自在となっている。
この出入口６８は、居間２３に配置され、床上を移動させることで出入口６８から第２収納室２６に収納可能な階段９と、階段に隣接し、仕切り壁６２に沿って移動自在な引戸６２ａとにより閉塞されるものとなっている。なお、出入口６８は仕切り壁６２の奧側の外壁から連続して形成され、階段９は奧側の外壁及び仕切り壁６２に接するように配置されている。
【００４５】
階段９は、図９に示すように、前面側に、居間２３から第２収納室２６上の子供部屋への昇降を行うための複数の蹴込み及び踏み面を備える段差部９１と、段差部９１を両側方で支持するささら部９２と、底板部及び背面材とで中空箱状に形成され、内部が収納部となっている。図２、図４及び図９に示すように、階段９は、居間２３において、段差部９１を居間２３側に露出させ且つ背面材（閉塞部材）９３で出入口６８を閉塞した状態で配置されている。
【００４６】
この背面材９３の高さは、出入口６８の開口高さより高く形成されており、上端部９３１は、スキップ床８Ｂにおいて出入口６８の上部に形成された切り欠き部８２に係止することで左右方向への移動及び第２収納室２６方向への移動が抑止された状態となっている（図１１参照）。また、この背面材９３の上端部９３１の前面は、子供部屋へ至る階段の最上段の蹴込み部分となっており、仕切り壁６２の居間２３側の端面と略面一となっている。
【００４７】
この背面材９３は、図１０に示すように、後面側に露出し開閉自在に設けられ、開くことで階段内の収納部と連通する扉９３ａと扉９３ａの上部に連続して配置され、上端部９３１を構成する上縁部材９３ｂとを備える。
また、上縁部材９３ｂには、基端部９４ａで上下方向に回動自在の手摺部９４が取り付けられている。
手摺部９４は、背面材９３の表面（階段９の後面に相当）の領域内で先端部９４ｂを下方に垂下させて折り畳み可能に構成され、基端部９４ａから先端部９４ｂまでの長さは、先端部９４ｂを上方に移動させた際に、スキップ床８Ｂの上面からさらに上方に突出する長さとなっている。なお、手摺部９４は、先端部９４ｂを上方に回動させた状態で固定可能に構成されている。
【００４８】
このように構成された階段９は、居間２３部分を広く使用したい場合等、階段９を撤去する必要がある場合に、階段９を床上を移動させることで、階段９の背面材９３を出入口６８から離間させて、該背面材９３の上端部９３１と切り欠き部８２との係合状態を解除し、階段９をひっくり返して段差部９１を先端側から第２収納室２６に挿入する。
【００４９】
そして、背面材９３を、その後面側を居間２３側に向けた状態で、出入口６８に嵌合させる。このとき、図１１に示すように、背面材９３の上端部の前面が、切り欠き部８２の表面に当接された状態で、背面材９３は切り欠き部８２に係止される。
このように階段９は床上を移動させることで第２収納室２６に収納可能となっており、段差部９１が収納された状態では、背面材９３の後面が居間２３に露出、つまり扉９３ａが露出した状態となる。図４では符号９’で第２収納室２６に収納された階段の状態を示す。
【００５０】
そして、図１２に示すように、折り畳まれた手摺部９４の基端部９４ａを回動させることで、その先端部９４ｂを子供部屋２９への出入口となる開口部２９ｂの下端から上方に突出させる。これにより開口部２９ｂからの落下防止を行うことができる。
このように、居間２３では、居間２３の床上に配置された階段９を床上を移動させることで第２収納室２６に収納することができるので、居間２３を広く使用したい場合等、フラットは床面積を広く取ることができる。
【００５１】
また、出入口６８を介して第２収納室２６に収納された階段９は、出入口６８を塞ぐ背面材９３の扉９３ａを介して、居間側から階段９内の収納部を利用することができる。
また、引戸６２ａは、仕切り壁６２の裏面側、つまり第２収納室２６側の壁面に沿って移動自在に設けられている。この引戸６２ａを介して、階段９が居間２３の床上に配置されている場合でも、居間２３から第２収納室２６内への出入りが可能となり、居間２３から第２収納室２６への物品の出し入れが可能となっている。
【００５２】
上記住宅１では、第１及び第２収納室２５，２６に隣接する室を構成する上階床５部分上、詳細には台所２２の床上と居間２３の床上に配置された流し台７と階段９とがそれぞれ第１及び第２収納室２５，２６に収納されるものとしたが、これに限らず、住宅において床上に配置され、その配置された領域で使用される設備若しくは家具であれば、どのような設備若しくは家具であってもよい。
【００５３】
例えば、図１３及び図１４に示すように、住宅１の台所２２部分を居間や寝室として用い、第１収納室２５に収納可能な設備若しくは家具として台所２２に設置された流し台７に代えて、居室や寝室に配置されたテーブル３０やベッド３１としてもよい。なお、このとき、住宅１の一つの空間２００の一部である台所２２を、居室や寝室として用いることが望ましい。流し台７に代えてテーブル３０若しくはベッド３１とした場合、テーブル本体３０ａ、ベッド本体３１ａの側部のそれぞれに面材７３に相当する部材（側板３３Ａ、ヘッドボード３１ｂ）を設ける。
【００５４】
つまり、図１３に示すテーブル３０は、天板を構成するテーブル本体３０ａと、テーブル本体の両側に取り付けられ脚部となる側板（面材）３３Ａ，３３Ｂとを備える。
テーブル本体３０ａは、天板の高さ位置を側板３３Ａ，３３Ｂの上端部より低い位置となっており、テーブル本体３０ａ自体は出入口６６に挿入可能な大きさ、具体的にはテーブル本体３０ａの縦横の長さは側板３３Ａ，３３Ｂの縦横の長さよりも小さいものとなっている。
【００５５】
そして、テーブル３０は、出入口６６を塞ぐべく側板３３Ｂを出入口６６に内嵌させ、出入口６６を閉塞した状態で、本体３０ａを室（台所２２部分）に露出させて配置されている。
テーブル３０が床上に配置された室（台所２２部分）において、テーブル３０を退かして室を広く使用したい、詳細には室（台所２２部分）の床を広く使用したい場合に、テーブル３０を第１収納室２５側に床上を移動させることで、本体３０ａを第１収納室２５に挿入し且つ、側板３３Ａを、その表面を台所２２部分側に露出させるとともに出入口６６に内嵌させることで閉塞させ、居室や寝室として用いた台所２２部分の床部分を広くすることができる。
【００５６】
また、図１４に示すベッド３１は、寝室として用いた、住宅１の台所２２部分に配置され、マットレスを備えるベッド本体３１ａと、ベッド本体３１ａの両端部に取り付けられ、上述の背面材９３としての機能を有するヘッドボード３１ｂ及びフットボード３１ｃとを備えている。
【００５７】
ヘッドボード３１ｂ及びフットボード３１ｃは、背面材９３と略同じ高さで且つ横がそれより長く、出入口６６を閉塞可能に構成されてなり、ベッド本体３１ａは出入口６６に挿入可能な大きさ、具体的にはベッド本体３１ａの縦横の長さをヘッドボード３１ｂ及びフットボード３１ｃの縦横の長さよりも小さいものとしている。そして、出入口６６における引戸６１ａによる出入口６６の閉塞部分を小さく、つまり、引戸６１ａを開く方向に移動させることで、引戸６１ａにより閉塞される出入口６６部分に隣接する出入口部分の開口の横幅を広くし、この出入口６６における引戸６１ａに隣接する開口部分の横幅をフットボード３１ｃの横幅に合わせた長さにして、フットボード３１ｃで引戸６２ａとともに出入口６６を閉塞し、本体３１を台所２２部分に露出させた状態でベッド３１は配置されている。
【００５８】
そして、ベッド３１が床上に配置された室（台所２２部分を寝室として用いるのであれば寝室）において、ベッド３１を退かして寝室（台所２２部分）を広く使用したい、詳細には寝室の床部分を広く使用したい場合に、テーブル３０と同様にベッド３１を床５上を移動させることで、本体３１ａを第１収納室２５に挿入し且つ、ヘッドボード３１ｂを出入口６６に内嵌して閉塞し、寝室、詳細には第１収納室２５に隣接して配置され、第１収納室２５と同一の床面を有する室の床部分を広くすることができる。
【００５９】
なお、以上の実施の形態においては、住宅１内において、上階床５の一部の上方に約１．１〜１．６ｍ離間させて子供部屋２８の床であるスキップ床８Ａ，８Ｂが設けられ、上階床５とスキップ床８Ａ，８Ｂとの間を外壁と仕切り壁などの内壁とで仕切ることで、台所２２や居間２３と隣接する第１及び第２収納室２５，２６が形成され、これら第１及び第２収納室２５，２６と台所２２や居間２３とを仕切る仕切り壁６１，６２にそれぞれ第１及び第２収納室２５，２６の出入口６６，６６が設けられた構成とし、台所２２や居間２３の床上に、床上を移動させることで出入口６６，６６から第１及び第２収納室２５，２６にそれぞれ収納可能な流し台７、階段９、テーブル３０若しくはベッド３１を配置した構成としたが、これに限らず、住宅１で用いられる設備若しくは家具であればどのようなものを第１及び第２収納室２５，２６に収納可能に配置してもよい。
例えば、キャビネット、椅子、箪笥、大型テレビ、洗面台、浴槽などであってもよい。なお、これらの設備若しくは家具にはそれぞれ収納室に収納された際に、出入口を閉塞する閉塞部材が取り付けられていることは勿論である。
【００６０】
【発明の効果】
請求項１記載の発明によれば、前記収納室に、前記床上の前記設備若しくは家具を前記床上を移動させて出入口から収納し、閉塞部材により出入口を閉塞できるので、前記設備若しくは家具を前記収納室に片づけて、前記設備若しくは家具が配置されてていた床部分を容易に広くして使用できるとともに、前記出入口も塞がれ見映えもよい。
【００６１】
請求項２記載の発明によれば、前記床上の前記設備若しくは家具としての流し台を、前記床上を移動させて出入口から前記収納室に収納し、閉塞部材により出入口を閉塞できるので、前記流し台を前記収納室に片づけて、前記流し台が配置されてていた床部分を容易に広く使用可能な状態とすることができるとともに、前記出入口も塞がれ見映えもよい。
【００６２】
請求項３記載の発明によれば、請求項２記載の発明と同様の効果を得ることができるとともに、前記閉塞部材の上端部は前記流し台の上面より高いので、前記流し台の上面に、蛇口部等の付属品が取り付けられていても、取り付けられた付属品の上端が前記閉塞部材の上端部より低いものであれば、付属品を取り外すことなく、流し台を前記収納室内に、前記出入口を介して容易に収納させることができる。
【００６３】
請求項４記載の発明によれば、請求項２または３記載の発明と同様の効果を得ることができるとともに、前記流し台の配管を、前記床部分の床側配管から取り外したり、また前記流し台に電化製品が付属している場合に、前記コンセントから流し台の備える電化製品のプラグを外すだけで前記床上に設置された前記流し台を床上を移動可能とすることができ、これらの作業の後で、前記流し台を前記床上を移動させて前記出入口を介して前記収納室内に容易に収納することができる。
【００６４】
請求項５記載の発明によれば、請求項４記載の発明と同様の効果を得ることができるとともに、前記流し台を前記収納室内に収納する際に、前記配管と前記床側配管とを容易に分離させることができるとともに、床側配管の端部を前記配管に接続させるために床面から上方に突出させる必要がなく前記配管を分離した後で、前記床側配管を床面レベルと略同一かあるいは床面レベルより下方に位置するように設けることができる。これにより、前記流し台を収納室内に収納した際に、前記流し台が設置されていた床部分に、該床部分の床面から上方に突出する突出物が存在することなく、蓋などで前記床側配管部分を容易に塞ぐことができる。また、前記流し台を設置する際に、正確な位置に流し台を設置しなくても、フレキシブル管を床側配管に接続できるので、その接続作業を容易に行うことができる。
【００６５】
請求項６記載の発明によれば、請求項４または５記載の発明と同様の効果を得ることができるとともに、パイプスペースを利用して流し台に接続される床側配管若しくは、前記床側配管及びコンセントを設けることができ、これら床側配管若しくは、前記床側配管及びコンセントを設けるために前記床に特別な加工を施す必要がない。
【００６６】
請求項７記載の発明によれば、請求項４〜６のいずれか一項に記載の発明と同様の効果を得ることができるとともに、前記収納室内に収納に収納自在な流し台であっっても、前記床上に設置された状態において、排水管から立ち上る悪臭を防止することができる。
請求項８記載の発明によれば、請求項１記載の発明と同様の効果を得ることができるとともに、前記ベッド若しくはテーブルが配置されてていた床部分を広く使用できるとともに、前記出入口も塞がれ見映えもよい。する。
【００６７】
請求項９記載の発明によれば、請求項１記載の発明と同様の効果を得ることができるとともに、前記床上の前記設備若しくは家具としての、前記床から前記居室へ昇降可能とする階段を、前記床上を移動させて出入口から前記収納室に収納し、閉塞部材により出入口を閉塞できるので、前記階段が配置されてていた床部分を広く使用できるとともに、前記出入口も塞がれ見映えもよい。
【００６８】
請求項１０記載の発明によれば、請求項９記載の発明と同様の効果を得ることができるとともに、前記階段を前記収納室に収納して前記出入口を前記閉塞部材で閉塞した際に、前記収納室の外側から前記扉を介して前記収納部内への物品の出し入れを行うことができる。
【図面の簡単な説明】
【図１】本発明を適用した一実施の形態の建物である住宅の構成を示す図であり、住宅の１階部分の平面図である。
【図２】図１の住宅の２階部分の平面図である。
【図３】図１の住宅の備える第１収納室及び台所を示す住宅の概略縦断面図である。
【図４】図１の住宅の備える第２収納室及び居間を示す住宅の概略縦断面図である。
【図５】本発明を適用した一実施の形態の建物である住宅において台所に設置された流し台を示す図である。
【図６】台所に配置された流し台の配管部分を示す概略縦断面図である。
【図７】図６において台所の床から流し台を移動させた際の床側配管から流し台の配管を分離させた状態を示す図である。
【図８】流し台を第１収納部に収納した後に床に現れる切欠部を示す図である。
【図９】本発明を適用した一実施の形態の建物である住宅において居間に設置された階段を示す図である。
【図１０】同、階段を背面側から見た図である。
【図１１】第２収納室に階段を収納して出入口を背面材により閉塞した際の出入口の上縁部と背面材の上端部との係合状態を示す図である。
【図１２】第２収納室に階段を収納して出入口を背面材により閉塞した際の手摺部の設置動作を説明する図である。
【図１３】本発明を適用した一実施の形態の建物である住宅において、流し台に代えて第１収納室に収納可能なテーブルを備えた状態を示す図である。
【図１４】本発明を適用した一実施の形態の建物である住宅において、流し台に代えて第１収納室に収納可能なテーブルを備えた状態を示す図である。
【符号の説明】
１　　　　　　住宅（建物）
４　　　　　　外壁
５　　　　　　上階床
７，７’　　　流し台（設備若しくは家具）
８，８Ａ，８Ｂスキップ床（居室の床）
９，９’　　　階段（設備若しくは家具）
１３　　　　　パイプスペース
２２　　　　　台所
２３　　　　　居間
２５　　　　　第１収納室
２６　　　　　第２収納室
２８，２９　　子供部屋（居室）
３０　　　　　テーブル（設備若しくは家具）
３１　　　ベッド（設備若しくは家具）
３１ｂ　　　ヘッドボード（閉塞部材）
３３Ｂ　　　側板（閉塞部材）
４１，４２，４３　　外壁
５１　　　下部排水管（床側配管）
５１ｂ　　　トラップ
５２　　　床側配水管（床側配管）
５４　　　コンセント
６１，６２　　　仕切り壁
６３　　　内壁
６６，６８　　　出入口
７１ａ　　　流し台の上面
７３　　　面材（閉塞部材）
７６　　　排水管（配管）
７６ａ，７８ａ　　　フレキシブル管
７８　　　配管
９３　　　背面材（閉塞部材）
９３ａ　　扉
【図１】
2004100373.tif 000003
【図２】
2004100373.tif 000004
【図３】
2004100373.tif 000005
【図４】
2004100373.tif 000006
【図５】
2004100373.tif 000007
【図６】
2004100373.tif 000008
【図７】
2004100373.tif 000009
【図８】
2004100373.tif 000010
【図９】
2004100373.tif 000011
【図１０】
2004100373.tif 000012
【図１１】
2004100373.tif 000013
【図１２】
2004100373.tif 000014
【図１３】
2004100373.tif 000015
【図１４】
2004100373.tif 000016